(57)【要約】      （修正有）【課題】必要な資機材の数量に合わせて置き場所を確保でき、資機材を持ち運ぶ手間を減らし、作業する際の効率的な段取りをとれ、居住者や作業者双方に安心で気持ちの良い工事環境を作り出すことのできる団地改修用ラックを提供する。【解決手段】団地改修用ラックは、マンション等の集合住宅の階段を利用して、集合住宅改修用の資機材を搭載する棚板１１と、その棚板１１を水平方向に挿入する溝を有する棚受２１とから構成され、棚板１１が、資機材を搭載する面とは反対面において、集合住宅の階段の踏み面１と棚受２１の溝とで支持される構造をとる。【選択図】  図１
0003218902.tif 000002
【実用新案登録請求の範囲】
【請求項１】
集合住宅改修用の資機材を搭載する棚板と、
前記棚板を水平方向に挿入する溝を有する棚受とからなり、
前記棚板が、前記資機材を搭載する面とは反対面において、前記集合住宅の階段の踏み面と前記棚受の溝とで支持される団地改修用ラック。
【請求項２】
前記棚板が、前記集合住宅の階段の踏み面で支持される面に、前記棚板と前記踏み面との間隙を調整する調整機構を有する請求項１記載の団地改修用ラック。
【請求項３】
前記棚受が、前記集合住宅の施設と固定する固定部を有する請求項１記載の団地改修用ラック。
【請求項４】
前記棚受が、前記棚板を挿入する溝に、前記棚板を挿入する深さを調整する調整機構を有する請求項１記載の団地改修用ラック。
【請求項５】
前記棚受が、その床面で支持される面と、前記床面との間に弾性体シートを備えた請求項１記載の団地改修用ラック。
【請求項６】
前記棚板が、その前記調整機構の前記踏み面で支持される面と、前記踏み面との間に弾性体シートを備えた請求項２記載の団地改修用ラック。
【請求項７】
前記棚板が、前記資機材を搭載する面の長手方向で、その水平方向となる端部に、前記資機材が前記棚板から落下するのを防止用するための凸部を有する請求項２記載の団地改修用ラック。
【請求項８】
前記棚板が、前記資機材搭載する面の長手方向で、その水平方向の端部に、前記資機材を搭載する面と垂直に板材を挿入する溝を有する請求項２記載の団地改修用ラック。
【請求項９】
前記棚板が、前記資機材搭載面の長手方向で、その水平方向となる側部に、クッション部材が挿入された請求項２記載の団地改修用ラック。
【請求項１０】
前記棚板が、棚板内層板と、それが挿入される棚板外層板から構成され、前記棚板内層板が前記棚板外層板の内部をスライドする請求項２記載の団地改修用ラック。
【請求項１１】
前記棚板が、前記資機材搭載面の長手方向で、その垂直方向の端部に、カーテンレールを有する請求項２記載の団地改修用ラック。
【考案の詳細な説明】
【技術分野】
【０００１】
本考案は、マンション等の集合住宅の設備改修工事を行う際に、その工事に必要な資機材を、集合住宅の階段を利用し、見た目もよく、居住者等の通行の邪魔にならないように収納でき、必要な資機材の数量に合わせて、現地で組立てが可能な団地改修用ラックに関するものである。
【０００２】
これまで、マンション等の集合住宅の設備改修工事においては、工事に必要な資機材の置き場所としては、階段の踊場スペースなどを利用し、その資機材をそのまま仮置きしたり、専用のかごなどに収納したりするのが一般的であった。しかしながら、この場合、資機材が乱雑に置かれるため、居住者からは見た目も悪く、作業者が必要な資機材を取り出す手間もかかっていた。
【０００３】
また、上記方法は見た目が悪いため、居住者から階段の踊場スペースの利用が許可されない場合もあった。この場合には、１階の地面を養生して資機材を直置きすることなどが行われてきた。この方法では、資機材の置き場スペースは広くとれるが、作業者が毎回階段を上り下りして必要な資機材を取りにいかねばならず、作業者にとっては、さらに効率の悪い作業環境となってしまっていた。
【０００４】
これらの課題に対して、特許文献１では、建物の外に吊り下げタイプの建築工事用仮設棚を用意しこれに必要な資機材を収納する。これにより、地上での資機材の置き場スペースの問題をなくし、作業スペースを確保するとしている。
【先行技術文献】
【特許文献】
【０００５】
【特許文献１】特開平１０−９６３２２号公報
【考案の概要】
【考案が解決しようとする課題】
【０００６】
一般に、マンション等の集合住宅の設備改修工事においては、階段の上り下りを避け、必要な資機材を現場にできるだけ近い場所に置いて、持ち運ぶ手間を省きたいこという要望がある。
【０００７】
しかしながら、特許文献１のような吊り下げタイプの建築工事用仮設棚を用いた場合、新築工事においては、地上での資機材の置き場スペースの確保の問題は生じないものの、マンション等の集合住宅のリニューアル工事の場合には居住者が工事中も通常と同じように生活しているため、住宅に吊り下げタイプの建築工事用仮設棚をぶら下げることは見た目が悪い。
【０００８】
また、必要な資機材を取り出すにあたっては、工事の現場のある階まで建築工事用仮設棚を吊り上げる作業が発生する。
【課題を解決するための手段】
【０００９】
本考案の実施形態の団地改修用ラックは、マンション等の集合住宅の階段を利用して、集合住宅改修用の資機材を搭載する棚板と、その棚板を水平方向に挿入する溝を有する棚受とから構成される。棚板が、資機材を搭載する面とは反対面において、集合住宅の階段の踏み面と棚受の溝とで支持される構造であることが好ましい。
【考案の効果】
【００１０】
マンション等の集合住宅のリニューアル工事でも、居住者が工事中も通常と同じように生活していることに配慮しながら、工事現場の近くに、現地で組立てて、必要な資機材の数量に合わせて置き場所を確保でき、資機材を持ち運ぶ手間を減らし、作業する際の効率的な段取りをとれ、居住者や作業者双方に安心で気持ちの良い工事環境を作り出すことのできる団地改修用ラックを提供する。
【図面の簡単な説明】
【００１１】
【図１】本実施形態の団地改修用ラックの外観図である。
【図２】本実施形態の棚板の１の形状で、（Ａ）は正面図、（Ｂ）は側面図、（Ｃ）は底面図である。
【図３】本実施形態の棚受の形状で、（Ａ）は正面図、（Ｂ）は側面図、（Ｃ）は底面図である。
【図４】本実施形態の棚板の他の形状で、（Ａ）は正面図、（Ｂ）は側面図、（Ｃ）は底面図である。
【図５】本実施形態の棚板の他の形状で、（Ａ）は正面図、（Ｂ）は側面図である。
【図６】本実施形態の棚板の他の形状で、（Ａ）は正面図、（Ｂ）は側面図、（Ｃ）は底面図である。
【図７】天板となる棚板にカーテンレールを設置した本実施形態の団地改修用ラックの外観図である。
【考案を実施するための形態】
【００１２】
以下、本考案の実施形態を図面に基づいて詳細に説明する。なお、本考案は以下に説明する実施形態に限られるものではない。
【００１３】
図１は団地改修用ラックの外観図である。本実施形態の団地改修用ラックは、マンション等の集合住宅等の階段を利用して改修工事に必要な資機材を収納するもので、棚板１１と棚受２１とから構成される。棚板１１の一方は階段の踏み面１で支持され、他方は棚受２１の棚板受溝２２に挿入されて支持される。
【００１４】
なお、本実施形態の団地改修用ラックを構成する各部品については、改修工事に必要な資機材の数量に合わせて、現地に運び込まれた後、現地において、団地改修用ラックに組立てられる。
【００１５】
これらの集合住宅では、階段を構成する踏み面１を有する踏み板や、蹴上げ面２を有する蹴込み板の各部材は、その長さ、幅、厚みの基本寸法が、建築基準法やバリアフリー住宅等の各種規定に準じて規格されている。しかしながら、建築基準法やバリアフリー住宅等の規定においては、上記寸法はある範囲をもって規定されているために、個々の集合住宅において、その寸法は異なる。
【００１６】
そのため、階段の踏み面１を利用して、棚板１１を支持しようとすると、棚板１１の高さ方向及び水平方向の調整が不可避となる。したがって、棚受２１を支持しようとする棚板１１の棚板受溝２２の下面の階段の踊場３からの高さと、棚板１１の一方を支持する階段の踏み面１の階段の踊場３からの高さの調整のために間隙調整機構１２が設けられている。また、棚受２１には、棚板受溝２２の奥に、奥行調整ネジ孔２５設けられ、奥行調整ネジ２６により、棚板１１の水平方向の位置が調整される。また、最上部の棚板１１は、図１に示すように、資機材を置かずに上方からの落下物から資機材を保護する本ラックの天板としても使用できる。 
【００１７】
棚受２１には、固定のための複数の棚受固定部２３が設けられている。図１の棚受２１では３つの棚受固定部２３を有する。最上段の棚受固定部２３は、壁５にアンカーボルト３６を打ち、棚受固定部２３に設けた固定孔２４とアンカーボルト３６とは、ワイヤを介して、棚受２１を固定している。また、第３段目の棚受固定部２３では、棚受２１が、棚受固定部２３に設けた固定孔２４とアンカーボルト３６とで壁５に直接固定されている。いずれの方法でも棚受２１の固定は可能であるが、このアンカーボルト３６を複数個所設けることで、棚受２１の固定は確実となる。なお、アンカーボルト３６の孔は工事完了後に穴埋め補修を行って原状復帰させる。
【００１８】
一方、２段目の棚受固定部２３は、アンカーボルト３６を打つことなく、棚受固定部２３の固定孔２４にワイヤを通して、周辺の付属施設と固定している。図１では、周辺の付属施設として、マンションの手すりである縦格子の柵４を利用している。このように、周辺の付属施設を用いて、棚受２１を固定することもできる。
【００１９】
本実施形態の団地改修用ラックを利用することで、マンション等の集合住宅のリニューアル工事の現場に近い階段の一部に資機材の置き場を確保し、資機材を持ち運ぶ手間を減らし、作業する際の効率的な段取りをとれ、居住者や作業者双方に安心で気持ちの良い工事環境を作り出すことができる。
【００２０】
図２は本実施形態の棚板の１の形状で、図２（Ａ）は正面図、図２（Ｂ）は側面図、図２（Ｃ）は底面図である。図２（Ａ）の正面図で、棚板１１のプラスＹ軸方向の上面には改修工事に必要な資機材が置かれる。また、棚板１１のマイナスＹ軸方向の下面では、図１の階段の踏み面１に当たる部分に間隙調整機構１２が設けられ、棚板１１をＹ軸方向に上下させ、高さの調整を行う。
【００２１】
棚板１１の厚みＤ１及び幅Ｗ１は、棚板１１が、プラスＸ軸方向に移動し、図１に示す棚受２１の棚板受溝２２に挿入されて支持されることから、後述する棚受２１の棚板受溝の高さＤ２及び幅Ｗ２よりも小さい寸法となる。また、棚板１１の長さＬについては、棚受２１の設置位置と、図１に示した支持される階段の対象段の蹴り上２との位置関係から予め概ねの長さが決定される。
【００２２】
棚板１１には、棚受２１に向かってプラスＸ軸方向に移動する際の前方側面に固定ネジ穴１３を設けても良い。この固定ネジ穴１３を後述する棚受２１の棚板受溝２２に備える奥行調整ネジ２５に対応する位置に設けることで、棚板１１と棚受１２とが、奥行調整ネジ２５によってしっかりと固定される。 
【００２３】
棚板１１としては木製の板材を用いるが、アルミ等の金属製の板材を用いることもできる。また、図２の各図においては、棚板１１の形状を直方体形状の板状に表しているが、アルミ等の金属製の板材を用いた場合は、持ち運びを配慮して軽量化を図った中空の矩形筒型形状の部材や、中空筒型形状の下部の全部又は一部を切欠いた溝型形状の部材を用いることができる。
【００２４】
図３は、本実施形態の棚受の形状で、図３（Ａ）は正面図、図３（Ｂ）は側面図、図３（Ｃ）は底面図である。図３（Ａ）の正面図に示すように、マイナスＸ軸方向の棚受２１が階段と対向する面には複数の棚板受溝２２が設けられている。また、プラスＸ軸方向となる反対面には固定孔２４を有する棚受固定部２３が設けられている。図３（Ａ）の正面図に示すように、棚板１１は、プラスＸ軸方向からばかりでなく、プラスＺ軸方向に向けてスライドさせて、棚板受溝２２に挿入して組立てることもできる。
【００２５】
棚受固定部２３は、前述した図１のように、壁５にアンカーボルト３６を打ち、棚受固定部２３に設けた固定孔２４とアンカーボルト３６とを、ワイヤを介し、あるいは棚受固定部２３に設けた固定孔２４とアンカーボルトとで、棚受２１を壁５に直接固定することができる。また、アンカーボルト３６を打つことなく、棚受２１を固定する場合には、棚受固定部２３の固定孔２４にワイヤを通して、マンションの手すりである縦格子の柵４などの周辺施設を利用して、棚受２１を固定することもできる。
【００２６】
棚板受溝２２の深さＬ２は、棚板１１を挿入し、棚受２１が棚板１１を支持できる長さで決定される。また、図３（Ａ）の正面図、図３（Ｂ）の側面図に示すように、棚板受溝２２のプラスＸ軸方向の奥には奥行調整ネジ穴２５が設けられ、奥行調整ネジ２６によって、棚板受溝２２に挿入される棚板１１の挿入深さを棚板受溝２２の奥行深さＬ２の範囲で調整できる構造となっている。
【００２７】
なお、これらの図では、棚受固定部２３がプラスＸ軸方向となる棚受２１が階段と対向する反対側に設けられているが、棚受２１を固定する周辺の付属施設との位置関係から、この棚受固定部２３を、棚受２１のプラス／マイナスＺ軸方向にあたる棚板２１の前側又は後側に設けても良い。また、図２では、棚受固定部２３が一か所設けられているが、必要に応じて複数個所設けても構わない。
【００２８】
図３（Ｂ）の側面図に示す棚板受溝２２の高さＤ２、幅Ｗ２は、上述した通り、棚板１１の厚みＤ１及び幅Ｗ１と対応して決定される。しかしながら、その落下が事故につながる可能性の有る重量物をＹ軸マイナス方向となる棚受２１の下部に、事故の危険の少ない軽量物はＹ軸プラス方向となる棚受２１の上部にといった具合に資機材の重量に配慮し、Ｙ軸マイナス方向となる棚受２１の下部の棚板１１の厚みＤ１を重量物に配慮して厚くし、それに対応する棚板受溝２２の高さＤ２を大きくするというように、個々の棚板１１の厚みＤ１と幅Ｗ１の寸法を、それに対応する棚板受溝２２の高さＤ２と幅Ｗ２の寸法に合わせて変えても構わない。
【００２９】
さらに、棚受２１のマイナスＹ軸方向の底面にはプラスチックやゴムなどの弾性体シート３３を設けることが望ましい。資機材を搭載した棚板１１を支持する棚受２１は、階段の踊場３のような床面に直接置かれると、その床面に凹みの傷を残すことや、地震時に棚受２１が滑って移動する可能性があることから、それらの影響を緩和するために弾性体シート３３が用いられる。なお、図３では、棚受２１の底面全面に弾性体シート３３を設けているが、Ｘ軸方向及びＺ軸方向の四隅に部分的に弾性体シート３３を設けることでも構わない。
【００３０】
図４は、棚板の他の形状で、図４（Ａ）は正面図、図４（Ｂ）は側面図、図４（Ｃ）は底面図である。図４（Ａ）の正面図及び図４（Ｂ）の側面図に示すように、この棚板１１には、棚板１１のプラスＹ軸方向となる必要な資機材を置く面で、プラスＺ軸方向となる居住者が通行する側に、これらの資機材が落下しないように、資機材落下防止用凸部１３を設けている。この資機材落下防止用凸部１３については、棚板１１が木材であれば、別の板材を釘等で棚板に打ち付けても良いし、棚板１１が金属材であれば、別の金属板を棚板１１にボルト等で固定する等で形成することができる。
【００３１】
また、この棚板１１には、図４（Ｂ）の側面図に示すように、棚板１１のプラスＹ軸方向となる工事に必要な資機材を置く面で、マイナスＺ軸方向となる図１で示す反対側の壁５に資機材が接触しないように、傷付防止板挿入溝１４を設けることもできる。この傷付防止板挿入溝１４を利用して、柔軟性の有るプラスチック板を傷付防止板１５として挿入することもできる。これにより、資機材が地震等による振動で揺れても、資機材及び壁５ともに傷つくことを防止できる。
【００３２】
棚板１１の棚受２１の棚板挿入溝２２への挿入深さのＬ１は、資機材落下防止用凸部１３や傷付防止板１５が棚板１１の棚受２１の棚板挿入溝２２への挿入に支障を生じないように、挿入深さＬ１≧棚板受溝の奥行Ｌ２となるように設定される。
【００３３】
なお、図４（Ａ）〜図４（Ｃ）では、棚板１１のＺ軸プラス方向側に資機材落下防止用凸部１３を設け、Ｚ軸マイナス方向側に棚板挿入溝２２を設けているが、両側ともに資機材落下防止用凸部１３を設けても構わない。また、この場合、棚板１１のプラスＹ軸方向となる工事に必要な資機材を置く面で、マイナスＺ軸方向となる図１で示す反対側の壁５に資機材が接触しないように、あわせて傷付防止板挿入溝１４を設け、柔軟性の有るプラスチック板を傷付防止板１５として挿入することもできる。
【００３４】
さらに、間隙調整機構１２のマイナスＹ軸方向の底面にプラスチックやゴムなどの弾性体シート３４を設けることが望ましい。資機材を搭載した棚板１１を支持する間隙調整機構１２は、階段の踏み面１に直接置かれると、階段の踏み面１に凹みの傷を残すことや、地震時に棚板１１が滑って移動する可能性があることから、それらの影響を緩和するために弾性体シート３４が用いられる。
【００３５】
図５は、本実施形態の棚板の他の形状で、（Ａ）は正面図、（Ｂ）は側面図、（Ｃ）は底面図である。この棚板１１には、図４（Ｂ）の側面図に示すように、棚板１１のプラスＹ軸方向となる工事に必要な資機材を置く面で、プラスＺ軸方向となる居住者が通行する側に、通行人がぶつかっても怪我をしないようクッション部１９を設けることもできる。
【００３６】
このクッション部１９の材質については柔軟性の有るプラスチックやゴムなどの材質が用いられ、高さＨを高くし接合面の深さＤ３を深くとることで、資機材落下防止の効果も期待できる。上述したように、挿入深さＬ１≧棚板受溝の奥行Ｌ２となるように設定されるが、このクッション部１９は、棚板１１から取り外せるように一定の長さで別部品として作成し、これらの複数の部品をＸ軸方向に連続的または間隙をおいて棚板１１の側部マイナスＺ軸方向に挿入接続することで形成しても構わない。
【００３７】
また、このクッション部１９については、工事現場の注意喚起用に用いられる黄色と黒色のストライプのテープ等を棚板１１の側面で、クッション部１９との接触面に貼った上で、棚板１１と固定することで、通行人の注意喚起を図ることもできる。
【００３８】
図６は、本実施形態の棚板の他の形状で、図６（Ａ）は正面図、図６（Ｂ）は側面図、図６（Ｃ）は底面図である。この棚板１１は棚板内層板１１ａと棚板外層板１１ｂの２部品からなり、図６（Ａ）の正面図及び図６（Ｂ）の側面図に示すように、棚板内層板１１ａの一部は棚板外層板１１ｂに収納されている。
【００３９】
この棚板１１では、図６（Ｂ）の底面図に示すように、棚板内層板１１ａは棚板外層板１１ｂの内部をプラス／マイナスＸ軸方向にスライドする。棚板内層板１１ａの幅はＷ１で、その先がＸ軸プラス方向に移動して、棚受２１の棚板受溝２２に挿入される。また、棚板内層板１１ａには棚板外層板１１ｂとの固定位置が幅広くとれるようにスライド孔１６が設けられており、棚板内層板１１ａの露出部分の長さＬ３と棚板外層板の長さＬ４の和（Ｌ３＋Ｌ４）が、図１で示す棚板を設置する段の階段の蹴り上２の面から棚受２１の棚板受溝２２の奥行の最深部の面までの距離になるように合わせて、その位置で、棚板内層板１１ａは棚板外層板１１ｂと棚板固定孔１７を用いて、棚板固定ネジ１８で固定される。
【００４０】
棚板内層板１１ａと棚板外層板１１ｂとの２層構造の棚板１１を用い、棚板内層板１１ａを棚板外層板１１ｂ内でスライドさせることで、棚板１１の長さＬが可変となることから、事前に現場の階段の寸法や棚受２１の設置位置を気にせずに作業ができ、棚板１１では固定ネジ穴１３が不要となる。また、棚受２１では、調整用に設けた棚受２１の奥行調整ネジ孔２５及び奥行調整ネジ２６が不要となり、棚受２１の構造を簡素化することができる。
【００４１】
この棚板１１を構成する棚板内層板１１ａにはアルミ等の金属の板状部材を用い、棚板外層板１１ｂにはアルミ等の金属の中空の矩形筒型形状の部材や、中空筒型形状の下部の一部を切欠いた溝型形状の部材を用いることができる。
【００４２】
また、図５のクッション部１９を棚板内層板１１ａ及び棚板外層板１１ｂの側部に付けることで、他の棚板１１の実施例と同様に資機材落下防止の効果も期待できる。
【００４３】
図７は、本実施形態の団地改修用ラックで、最上位の天板となる棚板の側部にカーテンレールを付けた団地改修用ラックの外観図である。図７では、図６に示した棚板の棚板内層板１１ａと棚板外層板１１ｂの両側面にカーテンレール３１を設けている。このカーテンレール３１の固定は棚板内層板１１ａと棚板外層板１１ｂの相対位置が決まった段階で、ボルト等で棚板１１に固定される。
【００４４】
カーテン３２については、資機材の取出し時以外は閉じられている。カーテン３２としては、資機材が外部から見えない色彩で、周囲の色に配慮したものを用いれば、居住者に対しての見た目の向上につながる。さらに、カーテン３２の材質として、厚手の布製のものや、プラスチック製のものを用いることで、居住者が通行する側に、ぶつかっても怪我をしないようなクッション効果も期待でき、居住者や作業者双方に安心で気持ちの良い工事環境を作り出すことができる。
【符号の説明】
【００４５】
１…階段の踏み面
２…階段の蹴り上
３…階段の踊り場
４…柵
５…壁
１１…棚板、１１ａ…棚板内層板、１１ｂ…棚板外層板
１２…間隙調整機構
１３…固定ネジ穴
１４…資機材落下防止用凸部
１５…傷付防止板挿入溝
１６…スライド孔
１７…棚板固定孔
１８…棚板固定ネジ
１９…クッション部
２１…棚受
２２…棚板受溝
２３…棚受固定部
２４…固定孔
２５…奥行調整ネジ孔
２６…奥行調整ネジ
３１…カーテンレール
３２…カーテン
３３、３４…弾性体シート
３５…傷付防止板
３６…アンカーボルト
【図１】
0003218902.tif 000003
【図２】
0003218902.tif 000004
【図３】
0003218902.tif 000005
【図４】
0003218902.tif 000006
【図５】
0003218902.tif 000007
【図６】
0003218902.tif 000008
【図７】
0003218902.tif 000009